(57)【要約】【課題】大量のチケットを発行する場合でも、作業者がチケット印刷装置のそばに付いている必要がないようにする。【解決手段】長尺のチケット用紙１を搬送手段１０によって長手方向へ搬送し、印刷手段２０によってそのチケット用紙１にチケットの情報を印刷し、そのチケット１枚分のチケット用紙の後端縁２ａをカッタユニット３０によって幅方向に切断するチケット印刷装置であり、カッタユニット３０よりチケット用紙１の搬送方向下流側に、切断されるチケット１枚分のチケット用紙に対して幅方向に湾曲したカールを付けるカール付け手段４０を設け、カッタユニット３０によって切断されたチケット２の後端縁２ａを搬送手段１０によって搬送される長尺のチケット用紙１の先端縁で押してそのカール付けされたチケット２を搬送し、機外に排出する。【選択図】        図１
2008105801.tif 000002
【特許請求の範囲】
【請求項１】
長尺のチケット用紙を長手方向へ搬送する搬送手段と、該搬送手段によって搬送される前記チケット用紙にチケットの情報を印刷する印刷手段と、該印刷手段によってチケットの情報が印刷されたチケット１枚分のチケット用紙の後端を前記長手方向に直交する幅方向に切断するカッタとを備えたチケット印刷装置において、
前記カッタより前記チケット用紙の搬送方向下流側に、該カッタによって切断される前記チケット１枚分のチケット用紙に対して前記幅方向に湾曲したカールを付けるカール付け手段を設け、前記カッターによって切断されたチケットの後端縁を前記搬送手段によって搬送される長尺のチケット用紙の先端縁で押して該チケットを搬送し、機外に排出するようにしたことを特徴とするチケット印刷装置。
【請求項２】
前記カール付け手段は、前記カッタによって切断される前記チケット１枚分のチケット用紙の両側部を側縁に沿って支持するチケット支持具と、該ケット用紙の幅方向の中央部を長手方向に沿って押しながら回転するチケット押さえローラとからなることを特徴とするチケット印刷装置。
【請求項３】
前記チケット押さえローラが、前記チケット用紙の搬送方向に直交する方向の軸の回りに回転する円板状のローラであり、該チケット用紙の搬送方向に沿って複数個配設されていることを特徴とするチケット印刷装置。
【請求項４】
請求項１から３のいずれか一項に記載のチケット印刷装置において、前記カール付け手段より前記チケットの搬送方向下流側の機外に、排出される前記チケットを順次積載して１０００枚程度収納できる大容量のチケット収納器を設けたことを特徴とするチケット印刷装置。
【請求項５】
前記チケット収納器は、上面を前記チケットの外形より若干大きく開口した角筒状の筐体と、該筐体内に設けたチケット受けトレイ及び該チケット受けトレイを支持するチケット受けトレイ台とを備え、
該チケット受けトレイ台は、前記筐体の底面との間にコイルバネを介して昇降可能に設けられ、前記チケット受けトレイは、載置するチケットの先端部を受ける側を前記チケット受けトレイ台の前端部に回動可能に軸着し、載置するチケットの後端部を受ける側が高くなるように傾斜し、その高くなる側と前記チケット受けトレイ台との間にコイルバネを介装していることを特徴とするチケット印刷装置。
【発明の詳細な説明】
【技術分野】
【０００１】
この発明は、長尺のチケット用紙にチケットの情報を印刷して１枚ずつのチケットに切断してチケットを発行あるいは作成するチケット印刷装置（プリンタ）に関し、特に大量のチケットを予め作成しておくのに適したチケット印刷装置に関する。
【背景技術】
【０００２】
この種のチケット印刷装置（プリンタ）は一般に、内部にロール状あるいはチケット１枚分ごとにミシン目を入れて折り畳まれたファンフォールドタイプの長尺のチケット用紙がセットされ、それを搬送手段によって順次引き出して長手方向に搬送し、印刷部でチケットの情報を印刷した後、チケット１枚分のチケット用紙の後端をカッタで長手方向に直交する幅方向に切断してチケットを発行する。
【０００３】
予め大量のチケットを作成しておくためのチケット印刷装置としては、例えば特許文献１に記載されているプリンタのように、プリンタ（印刷装置）内上部のカッタの手前側（チケット用紙搬送方向の下流側）にカッタで切断されたチケットを受けるチケットトレイを設けて、そこに発行されたチケットをストックするようにしていた。
【特許文献１】特開２００２−７９７１４号公報
【発明の開示】
【発明が解決しようとする課題】
【０００４】
しかしながら、このような従来のプリンタで大量のチケットを印刷する場合、発行後のチケットはその搬送機構を設けると複雑化するし、剛性が低いので長手方向に垂れ下がり易いため、カッタのすぐ後にチケットトレイを配置しなければならず、ファンフォールドタイプ等のチケット用紙を収納するスペースとの関係で、ストック容量は２５０枚程度であった。そのため、チケットトレイにストックされたチケットが容量一杯になる度に、そのチケットをトレイから取り除かなければならなかった。例えば、セットされた１０００枚綴りのファンフォールドタイプのチケット用紙のチケット発行が全て終わるまでには、チケットトレイにストックされたチケットを４回も取り除かなければならないため、チケット印刷装置のそばに作業者が付きっきりになるという問題があった。
【０００５】
この発明は上記の問題を解決するためになされたものであり、大量のチケットを発行する場合でも、作業者がチケット印刷装置のそばに付いている必要がないようにすることを目的とする。
【課題を解決するための手段】
【０００６】
この発明は、長尺のチケット用紙を長手方向へ搬送する搬送手段と、該搬送手段によって搬送される上記チケット用紙にチケットの情報を印刷する印刷手段と、その印刷手段によってチケットの情報が印刷されたチケット１枚分のチケット用紙の後端を上記長手方向に直交する幅方向に切断するカッタとを備えたチケット印刷装置において、上記の目的を達成するため次のように構成したものである。
上記カッタより上記チケット用紙の搬送方向下流側に、カッタによって切断される上記チケット１枚分のチケット用紙に対して上記幅方向に湾曲したカールを付けるカール付け手段を設け、上記カッタによって切断されたチケットの後端縁を上記搬送手段によって搬送される長尺のチケット用紙の先端縁で押して該チケットを搬送し、機外に排出するようにした。
【０００７】
上記カール付け手段は、上記カッタによって切断されるチケット１枚分のチケット用紙の両側部を側縁に沿って支持するチケット支持具と、そのチケット用紙の幅方向の中央部を長手方向に沿って押しながら回転するチケット押さえローラとによって構成することができる。
その場合、上記チケット押さえローラを、上記チケット用紙の搬送方向に直交する方向の軸の回りに回転する円板状のローラとし、それをチケット用紙の搬送方向に沿って複数個配設するとよい。
【０００８】
このようなチケット印刷装置において、上記カール付け手段よりチケットの搬送方向下流側の機外に、排出されるチケットを順次積載して１０００枚程度収納できる大容量のチケット収納器を設けるとよい。
そのチケット収納器は、上面をチケットの外形より若干大きく開口した角筒状の筐体と、その筐体内に設けたチケット受けトレイ及び該チケット受けトレイを支持するチケット受けトレイ台とを備えるとよい。
そのチケット受けトレイ台は、上記筐体の底面との間にコイルバネを介して昇降可能に設けられ、上記チケット受けトレイは、載置するチケットの先端部を受ける側を上記チケット受けトレイ台の前端部に回動可能に軸着し、載置するチケットの後端部を受ける側が高くなるように傾斜し、その高くなる側と上記チケット受けトレイ台との間にコイルバネを介装しているとよい。
【発明の効果】
【０００９】
この発明によるチケット印刷装置は、この構成によって、発行されたチケットが自動的に機外に排出されるので、大量のチケットを発行する場合でも、作業者がチケット印刷装置のそばに付いている必要がない。
さらに、上記チケット押さえローラよりチケット用紙の搬送方向下流側の機外に、排出されるチケットを順次積載して１０００枚程度収納できる大容量のチケット収納器を設ければ、発行されたチケットが全てそのチケット収納器内にストックされるので、発行されたチケットを揃えるような後の作業も不要になり、チケット発行作業の能率がさらに向上する。
【発明を実施するための最良の形態】
【００１０】
以下、この発明を実施するための最良の形態を図面に基づいて具体的に説明する。
図１はこの発明によるチケット印刷装置の一実施例の要部を示す斜視図、図２は切断されたチケットをその後端縁を長尺のチケット用紙の先端縁で押して搬送する状態を示す斜視図、図３は大容量のチケット収納器を透視状態で示す斜視図である。
【００１１】
図１において、１は図示していないチケット用紙収納部から引き出された長尺のチケット用紙であり、そのチケット用紙１の矢示Ａで示す搬送方向に沿って、搬送手段１０を構成するフィードローラ１１とピンチローラ１２、印刷手段２０であるサーマルヘッド２１と搬送手段も兼ねたプラテンローラ２２、固定刃３１と回転刃３２によるカッタを有するカッタユニット３０、および一対のチケット支持具４１と２個のチケット押さえローラ４２からなるカール付け手段４０が、上流側から下流側に順次配設されている。この実施例で使用する長尺のチケット用紙１は、チケット１枚分ごとにミシン目を入れて折り畳まれたファンフォールドタイプの感熱紙であるが、ロール状に巻かれた感熱紙でもよい。
【００１２】
そして、チケットを発行する際には、長尺のチケット用紙１を挟持する搬送手段１０のフィードローラ１１が矢示Ｂ方向に駆動回転し、ピンチローラ１２が矢示Ｃ方向へ従動回転して、チケット用紙１を矢示Ａ方向へ搬送する。そして、印刷手段２０であるサーマルヘッド２１が、プラテンローラ２２との間にチケット用紙１を挟んで、そのチケット用紙１の印刷面１ａにチケット１枚分ごとの情報を加熱発色により印刷する。このときプラテンローラ２２は矢示Ｄ方向に回転してチケット用紙１を搬送する機能も果たす。
このプラテンローラ２２の搬送力が十分ある場合には、印刷手段２０が搬送手段１０を兼ね、フィードローラ１１とピンチローラ１２を省略することも可能である。
【００１３】
この印刷手段２０によってチケットの情報が印刷されたチケット用紙１がカッタユニット３０を通過してカール付け手段４０に入ると、その両側部が側縁に沿って上面が下方に凹面になるように湾曲した一対の板状のチケット支持具４１，４１によって支えられ、そのチケット用紙１の幅方向の中央部が長手方向に沿って並んで配設された２個の押さえローラ４２，４２によって下方に押し込まれ、矢示Ｅで示すように幅方向に湾曲したカールが付けられる。
この実施例のチケット押さえローラ４２は、チケット用紙１の搬送方向に直交する方向の軸の回りに回転する円板状のローラであり、チケット用紙１の移動により従動回転する。なお、このチケット押さえローラ４２の形状や個数は任意に変更できる。
【００１４】
そして、丁度チケット１枚分のチケット用紙１がカッタユニト３０を通過したとき（チケット用紙１のミシン目が固定刃３１上に達したとき）それを光電センサ等で検知して、そのチケット用紙１の搬送を一旦停止し、カッタユニット３０の回転刃３２をチケット用紙１の長手方向に直交する幅方向に移動させてチケット１枚分のチケット用紙１の後端（カット端面）２ａを切断し、チケット２とする。
【００１５】
その後、搬送手段１０によるチケット用紙１の矢示Ａ方向への搬送を再開すると、図２に示すように、チケット２の長手方向の後端縁２ａを、チケット用紙１の先端縁１ｂで搬送方向（矢示Ａ方向）に押してチケット２を矢示Ｆ方向に搬送し、機外に排出する。このとき、チケット２の後端縁２ａは湾曲しており、チケット用紙１の先端縁１ｂは平坦になっているので、両者が上下に重なることなく確実に当接し、且つチケット２は幅方向のカールにより長手方向の剛性が高くなっているため容易に真っ直ぐに搬送することができる。
チケット２を排出し終えたとき、次のチケット１枚分のチケット用紙１が図１に示す位置まで搬送されて停止し、そのチケット用紙１にカール付手段４０によって幅方向に湾曲したカールが付けられている。
【００１６】
このチケット印刷装置のカール付け手段４０よりチケットの搬送方向下流側の機外に、図３に示すように矢示Ｇで示すように排出されるチケット２を順次積載して１０００枚程度収納できる大容量のチケット収納器５０を設けている。
このチケット収納器５０は、上面にチケット２の外形より若干大きい開口５１ａを設けた角筒状の筐体５１と、その筐体５１内に設けたチケット受けトレイ５２及びそのチケット受けトレイ５２を支持するチケット受けトレイ台５３とを備えている。
【００１７】
その筐体５１の両側板５１ｂ，５１ｂの各上端部には、開口５１ａの長手方向に沿ってそれぞれ外側に対称的に傾斜した一対の案内片部５１ｃ，５１ｃを設けて、ガイド板５４に案内されて排出されるチケット２が、側方に逃げずに矢示Ｇで示すように筐体５１内に落下するように案内する。
チケット受けトレイ台５３は、筐体５１の底面５１ｄとの間に一対のコイルバネ５５，５５を介して昇降可能に設けらている。そのチケット受けトレイ台５３の長手方向の中央部に、幅方向に沿ってガイドロッド５６が固設され、その両端部がそれぞれ両側板５１ｂ，５１ｂに垂直方向に形成されたガイドスロット５１ｅ，５１ｅに嵌入して、チケット受けトレイ台５３の昇降がガイドされるようになっている。
【００１８】
チケット受けトレイ５２は、載置するチケットの先端部２ｂ（図２）を受ける側をチケット受けトレイ台５３の前端部５３ａに回動可能に軸着（蝶着）し、載置するチケットの後端部を受ける側が高くなるように傾斜し、その高くなる側とチケット受けトレイ台５３との間にコイルバネ５７を介装している。このチケット受けトレイ５２の上端部には下方へＬ字型に折れ曲がった折曲片部５２ａを設けている。
【００１９】
このチケット収納器５０が空の状態のときには、チケット受けトレイ台５３が一対のコイルバネ５５，５５の付勢力によって最上昇位置にあり、チケット受けトレイ５２もコイルバネ５７の付勢力によって最も傾斜角度が大きい状態になっている。そのため、チケット印刷装置の本体から排出されるチケットが矢示Ｇで示すように筐体５１内に落下し、すぐにチケット受けトレイ５２に当接してその斜面に沿ってすべり落ち、チケット受けトレイ５２上に載置される。したがって、チケットが落下途中で裏返ったり捩れたりするようなことがない。
【００２０】
その後、チケット受けトレイ５２上に載置されるチケットの枚数が増加するにしたがって、その重量によってコイルバネ５７を圧縮してチケット受けトレイ５２の傾斜角度が小さくなると共に、コイルバネ５５，５５も圧縮してチケット受けトレイ台５３も次第に降下していく。したがって、チケット受けトレイ５２上の最上位のチケットは常に比較的高い位置にあって、次に排出されるチケットを受け止めやすく、チケット受けトレイ５２の傾きが次第に小さくなり、且つチケット受けトレイ台５３が次第に降下することによって、大量のチケットを揃えて確実に収納することができる。
【００２１】
そのため、チケット印刷装置の本体にセットされた長尺のチケット用紙のチケットを発行し終わるまで、作業者がそばに付いていなくても、発行されたチケットが自動的に全てこのチケット収納器５０内に揃えて収納されるので、チケット発行作業の能率が大幅に向上する。
このチケット収納器５０内に収納されたチケットを取り出す際には、チケット収納器５０を図示していない受け板上で逆さにすれば全て揃ったまま取り出すことができ、後の処理も簡単である。
【００２２】
この実施例では、チケット用紙に感熱紙を使用したが、普通紙を使用してインクリボンの熱転写によって印刷（印字）するようにしたり、印刷手段２０としてサーマルへッドに代えてインクジェトヘッドを用いて、インクジェトによって印刷するようにしてもよい。この発明では、チケット用紙の種類や印刷手段２０の種類を何ら限定するものではない。
また、カッタの種類も固定刃と回転刃を使用するものに限らず、上下動する可動刃やチケット用紙の幅方向に直線移動する可動刃を使用するものなどでもよい。
チケット収納器５０のチケット収納容量も１０００枚に限るものではなく、１０００枚以下でも以上でもよい。
【産業上の利用可能性】
【００２３】
この発明によるチケット印刷装置は、大量のチケットを用意しておいて、必要に応じて発売部所に送付する場合に極めて有効であり、例えば、劇場等の入場券、飲食店の食券、交通機関の乗車券、遊園地の乗物券などの各種チケットの印刷に適している。さらに、クリーニン店での洗濯物の引き替え札、洋服店や衣類のリフォーム店などでの仕上がり衣類の受取券の発行等にも利用することができる。途中にミシン目入っていて、切り離して半券とするようなチケットも発行できる。
【図面の簡単な説明】
【００２４】
【図１】この発明によるチケット印刷装置の一実施例の要部を示す斜視図である。
【図２】切断されたチケットをその後端縁を長尺のチケット用紙の先端縁で押して搬送する状態を示す斜視図である。
【図３】大容量のチケット収納器を透視状態で示す斜視図である。
【符号の説明】
【００２５】
１：長尺のチケット用紙      １ａ：印刷面      １ｂ：先端縁
２：チケット      ２ａ：後端縁（カット端面）      ２ｂ：先端部
１０：搬送手段      １１：フィードローラ      １２：ピンチローラ
２０：印刷手段      ２１：サーマルヘッド      ２２：プラテンローラ
３０：カッタユニット      ３１：固定刃      ３２：回転刃
４０：カール付手段      ４１：チケット支持具      ４２：チケット押さえローラ
５０：チケット収納器      ５１：筐体      ５１ａ：開口      ５１ｂ：側板
５１ｃ：案内片部      ５１ｄ：底面      ５１ｅ：ガイドスロット
５２：チケット受けトレイ      ５２ａ：折曲片部
５３：チケット受けトレイ台      ５３ａ：前端部      ５４：ガイド板
５５，５７：コイルバネ      ５６：ガイドロッド
【図１】
2008105801.tif 000003
【図２】
2008105801.tif 000004
【図３】
2008105801.tif 000005